(57)【要約】【課題】本発明の課題は、框が枠組みされた障子において、簡単な構成で、障子を閉じたり開いたりしたときに、隣り合う縦框が重なって外観を良くし、また縦框の重なりを容易に変えることができる引戸装置を提供することである。【解決手段】並列に配置された上レール３と各上レール３に吊り下げられた複数の障子とを備え、障子はパネル１０とパネル１０に枠組みされた上下の横框１３、１５及び左右の縦框１７、１９を有し、隣り合う一方の障子５、９の下框の下端には障子の走行方向に沿う案内溝部２１が設けられており、他方の障子７の縦框には係合部２７の支持部材２５が固定され、一方の障子５，９の縦框には下端を塞ぐキャップ３５が設けられ、キャップ３５は案内溝部２１に連続する補助溝３６と係合部２７に当接可能なストッパ３７とを備え、係合部２７がキャップ３５の補助溝３６に位置したときにストッパ３７に当接するように設けた。【選択図】  図１
2004169305.tif 000002
【特許請求の範囲】
【請求項１】
並列に配置された上レールと各上レールに走行自在に吊り下げられた複数の障子とを備え、障子はパネルとパネルに枠組みされた上下の横框及び左右の縦框を有し、隣り合う一方の障子の下框の下端には障子の走行方向に沿う案内溝部が設けられており、他方の障子の縦框には案内溝部を長手方向に移動する係合部の支持部材が固定されており、一方の障子の縦框には下端を塞ぐキャップが設けられており、キャップは案内溝部に連続する補助溝と係合部に当接可能なストッパとを備え、係合部がキャップの補助溝に位置したときにストッパに当接することを特徴とする引戸装置。
【請求項２】
キャップはストッパの位置が変更できることを特徴とする請求項１記載の引戸装置。
【発明の詳細な説明】
【０００１】
【発明の属する技術分野】
本発明は、上レールに複数の障子を吊り下げて障子の開閉を行う引戸装置に関するものである。
【０００２】
【従来の技術】
特許文献１には、１枚パネルの障子において、一方の障子の下部に案内溝部を設け、隣り合う他方の障子には案内溝部を移動する係合部の支持部材を固定し、一方の障子に対して他方の障子を走行自在にするとともに、案内溝部の端部にはストッパを設けた技術が開示されている（特許文献１）。
【０００３】
【特許文献１】
特開２００２−２４２５３６号公報
【０００４】
【発明が解決しようとする課題】
上述した公報に開示の技術では、１枚パネルのみの障子であるため、障子を閉じたり開いたりしたときに、戸先側や召し合わせ側の端部が隣に位置したときに、障子の端部同士がずれていても見栄えが悪いという問題は少ない。
【０００５】
一方、パネルに上下の横框及び左右の縦框が枠組みされた障子では、下框の下端に案内溝部が設けられているものがあるが、この場合には、障子を閉じたり開いたりしたときに、召し合わせ側又は戸先側の隣り合う縦框同士の位置がずれるため外観を損なうという問題がある。
【０００６】
本発明の課題は、框が枠組みされた障子において、簡単な構成で、障子を閉じたり開いたりしたときに、隣り合う縦框が重なって外観を良くし、また縦框の重なりを容易に変えることができる引戸装置を提供することである。
【０００７】
【課題を解決するための手段】
請求項１に記載の発明は、並列に配置された上レールと各上レールに走行自在に吊り下げられた複数の障子とを備え、障子はパネルとパネルに枠組みされた上下の横框及び左右の縦框を有し、隣り合う一方の障子の下框の下端には障子の走行方向に沿う案内溝部が設けられており、他方の障子の縦框には案内溝部を長手方向に移動する係合部の支持部材が固定されており、一方の障子の縦框には下端を塞ぐキャップが設けられており、キャップは案内溝部に連続する補助溝と係合部に当接可能なストッパとを備え、係合部がキャップの補助溝に位置したときにストッパに当接することを特徴とする。
【０００８】
この請求項１に記載の発明では、開き状態（夫々の障子を重ねた状態）から、一方の障子を移動させると、他方の障子に取り付けた係合部が一方の障子の案内溝部に沿って移動する。係合部は召し合わせ側の縦框内において、案内溝部に連続するキャップの補助溝に位置したときにストッパに突き当たり、一方の障子と他方の障子が閉じた状態（一方の障子と他方の障子とを左右に並べた状態）となる。
【０００９】
縦框の下端にキャップを装着するだけで、下框の案内溝部に連続する補助溝で一方と他方の縦框が重なる長さになるまで案内溝部を縦框に設けることができ、他方の障子の縦框に取り付けた係合部が一方の障子の縦框内の補助溝に位置してストッパに突き当たって止まり、隣り合う召し合わせ側の縦框同士が重なって外観を良くすることができる。
【００１０】
同様に、障子が開いた状態でも、他方の障子に取り付けられた係合部が、一方の障子の下框の案内溝部を移動して、この案内溝部に連続するキャップの補助溝に位置し、ストッパに突き当たって止まるので、前後に隣り合う障子の縦框同士が重なり合うことで、外観を良くすることができる。また、複数の障子の幅がそれぞれ同じであれば、左右の縦框同士が重なり合い外観を良くすることができる。
【００１１】
障子がパネルとその周囲に上下の横框及び左右の縦框を組み付けた構成であるので、工場から組み立てて出荷することに限らず、工務店でも仕様に合わせて組み立てができる。また、案内溝部の端部のストッパはキャップであるため、ストッパの位置が異なる取替えにより障子の重なり状態の変更が容易である。
【００１２】
請求項２に記載の発明は、請求項１記載の発明において、キャップはストッパの位置が変更できることを特徴とする。
【００１３】
請求項２に記載の発明では、請求項１記載の発明と同様の作用効果を奏するとともに、キャップの取替えなしで案内溝部の長さを変更することができ、障子の重なり状態の変更、調整ができる。
【００１４】
【発明の実施の形態】
以下に本発明の実施例を図面に基づいて具体的に説明する。
【００１５】
図１は引戸装置における、障子の閉状態を示す横断面図、図２は引戸装置における障子の開状態を示す横断面図、図３は図２における引戸装置の縦断面図、図４は図１のＡ−Ａ断面図、図５は図６に係る引戸装置の分解斜視図、図６は引戸装置の収まり状態を示す斜視図である。尚、図１の（ａ）及び（ｂ）と、図２の（ｃ）及び（ｄ）は、各障子の案内溝部及びキャップと係合部との位置関係を示している。また図５の（ａ）はキャップの斜視図、（ｂ）は係合部とその支持部材の斜視図である。
【００１６】
本実施の形態に係る引戸装置１は、並列に配置された上レール３と各上レール３に走行自在に吊り下げられた３枚の障子５、７、９からなり、上框１３に取り付けられた戸車１１が上レール３に沿って走行することで、障子５、７、９の開閉を行っている。また、上レール３の両端には戸車１１のストッパ４が設けられている。
【００１７】
各障子５、７、９は、パネル１０とパネル１０の周りにアルミニウム合金製の上下の横框（上框１３、下框１５）及び左右の縦框１７、１９が四方組みされている。各障子５、７、９の見付け方向の障子幅は同じ長さであり、また左右の縦框１７、１９の見付け方向の框幅も同じ長さである。
【００１８】
下框１５には、障子５、９の走行方向に沿って断面コ字状に凹んだ案内溝部２１が設けられている。
【００１９】
中央障子（他方の障子）７の左右縦框１７、１９には、案内溝部２１に係合して移動する係合部２７の支持部材２５が固定されている。この支持部材２５は断面Ｌ字状であり、係合部２７はローラである。支持部材２５は中央障子７の縦框１７、１９の下端の内側にキャップ３５の開口部３５ａを通してネジ固定されている。
【００２０】
支持部材２５は左右縦框１７、１９の下端の内側に固定されているので、外観が良い。また、障子５、７、９の見込み方向の隙間を小さくでき、上レール３の巾を小さくすることができる。
【００２１】
また、案内溝部２１の見込み方向の溝巾は、係合部２７の直径と略同じ長さであり、係合部２７が案内溝部２１に係合しているので、左右障子（一方の障子）５、９と中央障子７を互いに支持することができ、障子５、７、９の開閉の際にぶれることを防止でき、スムーズな開閉が可能である。
【００２２】
上框１３の左右には、上コーナ部材２９が設けられており、上框１３と左右縦框１７、１９とを夫々ネジ３３で連結固定している。また上コーナ部材２９には戸車１１を備えた戸車ホルダ８が取り付けられており、上コーナ部材２９が戸車ホルダ８の受け部材を兼ねている。
【００２３】
下框１５の左右には、下コーナ部材３１が設けられており、この下コーナ部材３１の下端はキャップ３５で塞いでいる。キャップ３５は合成樹脂製であり、案内溝部２１に連続する補助溝３６とストッパ３７とを設けている。また、ストッパ３７は、係合部２７が左右縦框１７、１９のキャップ３５の補助溝３６に位置したときに当接するような位置に設けられている。
【００２４】
左縦框１７の内側には係止部材３９が設けられており、係合を外すと自重によって床面に接触して、障子５、７、９の動きを規制するようになっている。
【００２５】
次に、本実施の形態の作用を説明する。図２に示すような障子５、７、９が開いた状態から、左側障子５を移動させると中央障子７の左側に固定されている係合部２７が案内溝部２１に沿って移動する。中央障子７の係合部２７は左側障子５内の案内溝部２１を移動し、左側障子５の右縦框１９内に取り付けたキャップ３５の補助溝３６に位置したときに、係合部２７がキャップ３５のストッパ３７に突き当たり、左側障子５と中央障子７が閉じた状態（左側障子と中央障子とが左右に並んだ状態）となる。さらに、左側障子５を移動させると、中央障子７が左側障子５に連動して移動する。続いて、左側障子５を動かし続けると、中央障子７の右側の係合部２７が、右側障子９の左縦框１７内のストッパ３７に突き当たり、３枚の障子５、７、９が閉じた状態となる。さらに左側障子５を動かし続けると、左側障子５に連動して右側障子９が動き始める。
【００２６】
中央障子７の左側に取り付けられた係合部２７は、左側障子５の右縦框１９のキャップ３５の補助溝３６に位置したときに、ストッパ３７に突き当たるので、中央障子７と左側障子５とが横に並んだ状態になったときに、左側障子５の右縦框１９と中央障子７の左縦框１７（召し合わせ縦框同士）が重なり合う。また、中央障子７と左側障子５とが横に並んだ状態からさらに右側障子９が閉じて、３枚の障子５、７、９がすべて閉じた状態となったときも、中央障子７の右縦框１９と右側障子９の左縦框１７（召し合わせ縦框同士）が重なり合う。
【００２７】
中央障子７の左右の係合部２７の支持部材２５を左右の縦框１７、１９の見付け方向の中央に固定し、係合部２７であるローラが、キャップ３５の補助溝３６内で左右縦框１７、１９の見付け方向の中央位置２８にきたときに当接し停止するように、ストッパ３７を設けた場合には、左側障子５の右縦框１９の両端と、中央障子７の左縦框１７の両端（図１中、Ｅ−Ｅ，Ｆ−Ｆ）及び中央障子７の右縦框１９の両端と右側障子９の左縦框１７の両端（図１中Ｇ−Ｇ，Ｈ−Ｈ）がそれぞれ面一となり、外観が良くなる。すなわち、ストッパ３７を左右の縦框１７、１９の係合部２７であるローラの半径長さだけ、左右の縦框１７、１９のパネル側側端から離れた位置に設けることで、左右の縦框１７、１９を面一に重ねることができる。
【００２８】
係合部２７が案内溝部２１に係合して移動するので、障子５、７、９が互いに支持されるので見込み方向にぶれるのを防止することができ、スムーズな開閉が可能である。
【００２９】
一方、図１に示すような閉状態（左右障子と中央障子が左右に並んだ状態）から、図２に示すように障子５、７、９の開状態（障子を重ねた状態）にする場合には、左側障子５を中央障子７に重ねる方向に移動させると、左側障子５の動作と共に中央障子７の左側に固定されている係合部２７が、左側障子５の案内溝部２１に沿って移動する。そして、中央障子７の左側の係合部２７が、左側障子５の左縦框１７のキャップ３５の補助溝３６に位置すると、係合部２７がストッパ３７に突き当たって停止し、中央障子７と左側障子５が重なり合った状態となる。
【００３０】
また、右側障子９も中央障子７方向に移動させると、中央障子７の右側の係合部２７が右側障子９の右縦框１９のキャップ３５の補助溝３６内に入り、その位置でストッパ３７に突き当たり、３枚の障子５、７、９が重なり合った状態となる。障子５、７、９の左右方向に壁がなくとも隣り合う障子同士を重ね合わせることができる。
【００３１】
中央障子７の左右の係合部２７が左右縦框１７、１９の見付け方向の中央位置にきたときにストッパ３７に当接するように、キャップ３５のストッパ３７を設けた場合には、それぞれの障子５、７、９の左縦框１７の戸先側端部及び右縦框１９の戸先側端部が面一（図２中、Ｃ−Ｃ及びＤ−Ｄ）状態となり、さらに外観が良い。ストッパ３７は係合部２７であるローラの半径長さだけ、縦框のパネル側側端より離れた位置に設けることで、係合部２７の位置を変えても縦框を面一に重ねることができる。
【００３２】
次に、他の実施の形態を説明するが、その説明にあたり上述した部分と同一の作用効果を奏する部分には、同一の符号を付することにより、その部分の詳細な説明を省略する。
【００３３】
第２の実施の形態では、上レール３に吊り下げられる障子の枚数を２枚にしている。尚、各障子５ａ、７ａの見付け方向の障子幅は同じ長さである。また左右の縦框１７、１９の見付け方向の幅も同じである。左側障子（一方の障子）５ａの下框１５には第１実施の形態と同様に、右側障子（他方の障子）７ａの左の係合部２７が左右縦框１７、１９のキャップ３５の補助溝３６に位置したときにストッパ３７に当接するようになっている。
【００３４】
右側障子７ａの左の係合部２７を見付け方向の中央位置２８に固定し、左側障子５ａの左縦框１７のストッパ３７を見付け方向の中央位置２８より、障子のパネル側にある場合には、図８に示すように、障子５ａ、７ａを閉状態（障子が左右に並んだ状態）から障子５ａ、７ａを開状態（障子を重ねた状態）にしたときに、左側障子５ａの左縦框１７の端部がずれて、引き残しを設けることができ、手が引手溝に挟まれることがない。
【００３５】
また、図７に示すように、障子５ａ、７ａを開状態から閉状態にしたとき、左側障子５ａの右縦框１９のストッパ３７の位置を見付け方向の中央位置２８より、係合部２７のローラの半径長さだけパネル側に長くすることで、左側障子５ａの右縦框１９の両端部と右側障子７ａの左縦框１７の両端部とを面一（図７中、Ｉ−Ｉ及びＪ−Ｊ）にすることができ、外観が良い。
このような引き残しの有無は、補助溝３６の長さの違うキャップ３５を取り替えることで、容易に行うことができる。
【００３６】
第３の実施の形態では、図１０に示すように、キャップ３５のストッパ３７の位置が自在に変更できるようになっている。キャップ３５の補助溝３６の両側の壁５１に補助溝３６の長手方向に沿って複数の貫通穴５２、５３を形成し、この貫通穴５２、５３に棒状部材５４を差し込むことで、ストッパ３７の役割を担っている。そして、棒状部材５４を差し込む貫通穴５２、５３の位置を変えることでストッパ３７の位置を変更できるようになっている。貫通穴５２、５３に差し込む部材は棒状部材５４の他に板状あるいはブロック状の部材であっても良い。
【００３７】
次に、第３の実施の形態の変形例について説明する。図１１に示すように、キャップ３５の上部の見付け方向に夫々対向する位置にネジ穴を形成したネジ穴保持部材６１、６３を設けている。そして、ネジ穴保持部材６１、６３の両端にまたがってネジ６４を通して固定している。また、ネジ６４には板状部材６５が螺合しており、板状部材６５の下部がキャップ３５の補助溝３６の中に位置している。ネジ６４を回すとネジ６４に螺合した板状部材６５が補助溝３６内で見付け方向に移動することでストッパ３７の位置が変更、調整できる。
【００３８】
このように、ストッパ３７の位置が変更できるので、例えば、中央障子７に取り付けられた係合部２７が、左側障子５又は右側障子９の左右縦框１７、１９の見付方向の中心位置で止まるようにストッパ３７の位置を設けることで、障子を閉じたり開いたりしたときに、召し合わせ側又は戸先側の隣り合う縦框同士の位置を面一にすることができる。また、左右の縦框１７、１９の見付け方向の中央位置２８よりパネル側にストッパ３７を位置させることで、障子の開状態で引き残しを設けることができる。
【００３９】
本発明は、上述のようなの実施の形態に限定されず、その要旨を逸脱しない範囲内において種々の変形が可能である。例えば、本実施の形態では上レール３に吊り下げる障子の数を２枚又は３枚にしたが、４枚以上であっても良い。
【００４０】
３枚戸において、中央障子７の左縦框１７及び右縦框１９に係合部２７の支持部材２３を固定するようにしたが、これに限定されず、例えば中央障子７の左縦框１７と右側障子９の左縦框１７にそれぞれ固定しても良い。また、中央障子７の右縦框１９と左側障子５の右縦框１９に固定しても良い。
【００４１】
引戸装置１はウォーキングクロゼット等の扉に用いるものでも良い。
【００４２】
【発明の効果】
請求項１に記載の発明では、縦框の下端にキャップを装着するだけで、下框の案内溝部に連続する補助溝で一方と他方の縦框が重なる長さになるまで案内溝部を縦框に設けることができ、他方の障子の縦框に取り付けた係合部が一方の障子の縦框内の補助溝に位置してストッパに突き当たって止まり、隣り合う召し合わせ側の縦框同士が重なって外観を良くすることができる。
【００４３】
同様に、障子が開いた状態でも、他方の障子に取り付けられた係合部が、一方の障子の下框の案内溝部を移動して、この案内溝部に連続するキャップの補助溝に位置し、ストッパに突き当たって止まるので、前後に隣り合う障子の縦框同士が重なり合うことで、外観を良くすることができる。また、複数の障子の巾がそれぞれ同じであれば、左右の縦框同士が重なり合い外観を良くすることができる。
【００４４】
案内溝部の端部のストッパはキャップ内に設けられているので、ストッパ位置が異なるキャップの取替えにより障子の重なり状態の変更が容易である。
【００４５】
請求項２に記載の発明では、請求項１と同様に効果を奏するとともに、キャップの取替えなしで案内溝部の長さを変更することができ、障子の重なり状態の変更、調整ができる。
【図面の簡単な説明】
【図１】引戸装置における、障子の閉状態を示す横断面図である。
【図２】引戸装置における障子の開状態を示す横断面図である。
【図３】図２における引戸装置の縦断面図である。
【図４】図１のＡ−Ａ断面図である。
【図５】図６に係る引戸装置の分解斜視図である。
【図６】引戸装置の収まり状態を示す斜視図である。
【図７】第２実施の形態に係る引戸装置の障子の閉状態を示す横断面図である。
【図８】第２実施の形態に係る引戸装置の障子の開状態を示す横断面図である。
【図９】第２実施の形態に係る引戸装置の縦断面図である。
【図１０】第３実施の形態に係るキャップの側面図及び横断面図である。
【図１１】図１０に係るキャップの変形例である。
【符号の説明】
１              引戸装置
３              上レール
５              左側障子（一方の障子）
７              中央障子（他方の障子）
９              右側障子（一方の障子）
１０            パネル
１１            戸車
１３            上框
１５            下框
１７            左縦框
１９            右縦框
２１            案内溝部
２７            係合部
３５            キャップ
３７            ストッパ
【図１】
2004169305.tif 000003
【図２】
2004169305.tif 000004
【図３】
2004169305.tif 000005
【図４】
2004169305.tif 000006
【図５】
2004169305.tif 000007
【図６】
2004169305.tif 000008
【図７】
2004169305.tif 000009
【図８】
2004169305.tif 000010
【図９】
2004169305.tif 000011
【図１０】
2004169305.tif 000012
【図１１】
2004169305.tif 000013